(57)【要約】【課題】前掛けフレームを任意の停止位置に確実に保持することができ、かつ維持させることができる眼鏡フレームを提供する。【解決手段】前掛けフレーム３の腕部４における環状部４ａの貫通孔４ｂの周壁部を、支持部材５の支持軸６と、コイルスプリング８により付勢されたボール部材７とによって挟持する。これにより、前掛けフレーム３の腕部４には、回転時に適当な負荷が与えられるため、前掛けフレーム３を任意の角度で確実にかつ容易に停止することができ、しかも、その停止位置に確実に保持することができる。【選択図】図１
2012042904.tif 000002
【特許請求の範囲】
【請求項１】
レンズを保持するフロントフレームと、フロントフレームの側方に延出して、フロントフレームに対して回動可能かつ折り畳み可能に設けられたテンプルを有する眼鏡フレームであって、前記フロントフレームを覆う前掛けフレームが、このフロントフレームの前面部から側方部まで回動可能に設けられた眼鏡フレームにおいて、
前記フロントフレームの側方の部材における一部に、鉛直に支持軸を立設した支持部材を固定し、前記支持軸を前記前掛けフレームの回動部に形成した貫通孔に挿入し、前記前掛けフレームにおける前記貫通孔部分の周壁部を前記支持軸とで挟持するように付勢するばね部材を前記支持部材に設け、前記前掛けフレームの前記回動部における回動に負荷を与えて、前記前掛けフレームを停止位置に維持させることを特徴とする眼鏡フレーム。
【請求項２】
前記ばね部材と前記前掛けフレームにおける前記貫通孔部分の外壁部と前記ばね部材との間に円形部材を介在させたことを特徴とする請求項１記載の眼鏡フレーム。
【発明の詳細な説明】
【技術分野】
【０００１】  本発明は、レンズ，サングラスを含む前掛けフレームがテンプルの側方まで回動可能に設けられている眼鏡フレームに関するものである。
【背景技術】
【０００２】  従来、撥ね上げ式の前掛けフレームが設けられている眼鏡フレームでは、一般的にはフロントフレームの上下方向に前掛けフレームが回動可能になっている。【０００３】  また、前掛けフレームをフロントフレームのレンズ面から退避させる構造として、特許文献１，２に記載されているように、前掛けフレームをテンプルの横側部まで移動させるようにした構成のものも提案されている。
【先行技術文献】
【特許文献】
【０００４】
【特許文献１】特開２００２−１８２１６８号公報
【特許文献２】特開２００３−２４８１９９号公報
【発明の概要】
【発明が解決しようとする課題】
【０００５】  従来の特許文献１，２に記載された前掛けフレームが設けられた眼鏡フレームは、前掛けフレームの退避構造に特徴がある。前掛けフレームを自動的に回転させることに注意が払われているが、そのための構造が眼鏡としては大掛りかつ複雑である。【０００６】  例えば、特許文献１に記載の構造では、前掛けフレームを押し上げて、眼鏡フレーム本体と前掛けフレームの間隙を押し広げて、磁着を引き剥がして解除する解除機構弾性体を設けている。また、特許文献２に記載の構造では、前掛けフレームの移動用モータを設置する構成になっている。【０００７】  このため、一般使用者にとって前掛けフレームの操作に慣れる必要がある。このことは、使用者が顔から着脱するのみの眼鏡のような単純な使用形態のものにとって、大きな問題であるといえる。【０００８】  前掛けフレームをフロントフレームの側部に回転させるだけであれば、単純な回転軸構造でもよいが、使用者が、前掛けフレームを任意の位置に停止させ、かつ停止位置に維持することを円滑かつ確実に行いたいという要求には対応できない。【０００９】  前掛けフレームが停止位置から不用意に動くことにより、フロントフレームやテンプル、あるいはレンズに接触したり当接したりすることによって、その部位に損傷を発生させるおそれがある。【００１０】  本発明の目的は、前記従来の技術の課題を解決し、前掛けフレームを任意の停止位置に確実に保持することができ、かつ維持させることができる眼鏡フレームを提供することを目的とする。
【課題を解決するための手段】
【００１１】  本発明の眼鏡フレームは、レンズを保持するフロントフレームと、フロントフレームの側方に延出して、フロントフレームに対して回動可能かつ折り畳み可能に設けられたテンプルを有する眼鏡フレームであって、前記フロントフレームを覆う前掛けフレームが、このフロントフレームの前面部から側方部まで回動可能に設けられた眼鏡フレームにおいて、前記フロントフレームの側方の部材における一部に、鉛直に支持軸を立設した支持部材を固定し、前記支持軸を前記前掛けフレームの回動部に形成した貫通孔に挿入し、前記前掛けフレームにおける前記貫通孔部分の周壁部を前記支持軸とで挟持するように付勢するばね部材を前記支持部材に設け、前記前掛けフレームの前記回動部における回動に負荷を与えて、前記前掛けフレームを停止位置に維持させることを特徴とする。【００１２】  また、前記ばね部材と前記前掛けフレームにおける前記貫通孔部分の外壁部と前記ばね部材との間に円形部材を介在させたことを特徴とする。
【発明の効果】
【００１３】  本発明の眼鏡フレームは、前掛けフレームの回転部の貫通孔周壁部を支持軸とで挟持すると共に付勢するばね部材を、フロントフレーム側方の部材に固定された支持部材に設け、前掛けフレームの回動部の回動に負荷を与えるようにしたことにより、使用者が前掛けフレームを回転移動させることにより、前掛けフレームを任意の位置に容易かつ円滑に停止させ、その位置に維持させることができる。
【図面の簡単な説明】
【００１４】
【図１】本発明の眼鏡フレームの実施形態における支持部材部分の一部断面図である。
【図２】本実施形態における支持部材の側面図である。
【図３】（ａ）〜（ｃ）は実施形態の前掛けフレーム部分の動作状態を示す断面図である。
【発明を実施するための形態】
【００１５】  以下に本発明の好適な実施形態を図面にて説明する。
【００１６】  図３において、１はレンズＬを保持するフロントフレーム、２は、フロントフレーム１の両側部に延出して、フロントフレーム１に対して回動可能かつ折り畳み可能に設けられたテンプル、３は、必要に応じてフロントフレーム１を覆うため、フロントフレーム１のレンズが装着される前面部から側方部まで回転可能に設けられたレンズ（遠近レンズ）あるいはサングラス（度付き色つきレンズなどを含む）などからなる前掛けフレームである。
【００１７】  図１は本実施形態の前掛けフレーム部分の回転支持構造を示し、（イ）は前掛けフレーム３がフロントフレーム１の前面部を覆う位置における回転支持部の状態を示し、（ロ）は前掛けフレーム３がフロントフレーム１の前面部から側方部の移動終点に達する途中の回転支持部の状態を示し、（ｃ）は前掛けフレーム３がフロントフレーム１の側方部のテンプル２に達した位置における回転支持部の状態を示している。
【００１８】  図１において、４は一側端部に突出するように回動部である環状部４ａが設けられた前掛けフレーム３の腕部、５は、フロントフレーム１の一側端部に設けられ、かつ内部に空間部５ａが形成されたボックス状の支持部材、６は支持部材５の内部に鉛直方向に立設された支持軸、７は、前掛けフレーム３の環状部４ａの貫通孔４ｂ内に支持軸６が挿入された状態において、環状部４ａの周壁部を支持軸６とで挟持する円形部材であるボール部材、８はボール部材７を介して環状部４ａの周壁部に弾性付勢力を付与するばね部材であるコイルスプリング、９は支持部材５の空間部５ａに収納されているボール部材７とコイルスプリング８とを付勢状態に維持／保持するための栓部材である。
【００１９】  前記環状部４ａの貫通孔４ｂの内径は、支持軸６の外径より大きく、かつ円形あるいは楕円形にしている。ただし、貫通孔４ｂの形状や支持軸６との位置関係などは仕様に合わせて設定する。
【００２０】  図３に示すように、支持部材５の空間部５ａは、ボール部材７とコイルスプリング８を収納する中央部５ｂと、中央部５ｂに連通する溝部５ｃとからなり、溝部５ｃにおいて前掛けフレーム３の腕部４が摺動可能になっている。
【００２１】  このように、前掛けフレーム３の腕部４における環状部４ａの貫通孔４ｂの周壁部を、支持部材５の支持軸６と、コイルスプリング８により付勢されたボール部材７とによって挟持することにより、前掛けフレーム３の腕部４には、回転時に適当な負荷が与えられることになり、前掛けフレーム３を任意の角度で確実にかつ容易に停止することができ、しかも、その停止位置に確実に保持されることになる。
【００２２】  したがって、図１（イ）と図３（ｂ）に示す前掛けフレーム３がフロントフレーム１の前面部を覆う位置、図１（ロ）に示す前掛けフレーム３がフロントフレーム１の前面部から側方部に達する途中の位置、図１（ハ）と図３（ｃ）に示す前掛けフレーム３がフロントフレーム１の側方部の最終位置に達した位置のそれぞれにおいて、使用者は前掛けフレーム３を確実にかつ容易に停止させることができ、その後、その停止位置に前掛けフレーム３を確実に保持させておくことができる。
【００２３】  また、図３（ａ）は、前掛けフレーム３をフロントフレーム１の前面部を覆うようにして、テンプル２を折り畳んだ不使用の状態の各部を示している。
【００２４】  なお、前記実施形態の各構成部材の形状，材質などは特に限定されず、デザイン・仕様などにより適宜変更して実施する。
【産業上の利用可能性】
【００２５】  本発明は、樹脂製あるいは金属製などの各種眼鏡フレームに適用される。
【符号の説明】
【００２６】１  フロントフレーム
１ａ  フロントフレームの環状部
２  テンプル
３  前掛けフレーム
４  前掛けフレームの腕部
４ａ  前掛けフレームの環状部
４ｂ  環状部の貫通孔
５  支持部材
５ａ  支持部材の空間部
５ｂ  空間部の中央部
５ｃ  空間部の溝部
６  支持軸
７  ボール部材
８  コイルスプリング
９  栓部材
【図１】
2012042904.tif 000003
【図２】
2012042904.tif 000004
【図３】
2012042904.tif 000005